(57)【特許請求の範囲】
【請求項１】
衣類搬送路を搬送手段により搬送される被洗物に対してヒーターで加熱された空気を吹き付けて乾燥させる衣類の乾燥仕上げ装置において、
衣類搬送路における空気吹き出し部分に、一対の、前記搬送手段を挟んで搬送方向の直角位置から左右対称に進行方向に向かって水平方向外側の端がハ字形状に傾斜し、かつ、搬送ラインの水平ラインに対して左右対称に下方に向かって水平方向外側の端がハ字形状に傾斜するように設置した円柱体を有し、
前記衣類搬送路の方向に一対の円柱体を複数、円柱体の半径以下の間隔を設けて連続して配列して、隣接する前記円柱体の隙間に空気を通すことにより、前記衣類搬送路への空気の流れに渦を生じさせて被洗物に渦流を吹き付けることを特徴とする衣類の乾燥仕上げ装置。
【発明の詳細な説明】
【技術分野】
【０００１】
本発明は、多くの被洗物を連続して洗濯する連続洗濯設備において、連続洗濯機で洗濯された後、脱水・予備乾燥された被洗物を自動的に連続して乾燥・仕上げし、その後、被洗物を次工程の畳み機へと送る衣類の乾燥仕上げ装置に関するものである。
【背景技術】
【０００２】
従来、連続洗濯設備において、洗濯・脱水された被洗物を、連続して乾燥・仕上げを行う装置としてトンネル乾燥機が用いられている。このトンネル乾燥機は、ハンガーに掛けた被洗物をチェーンコンベア等を用いて連続して搬送し、これをトンネル状の衣類搬送路内に通過させながら、トンネル内に熱風を通すことにより洗濯物を乾燥させ、また洗濯物に蒸気を含む熱風を吹き付けることにより皺を伸ばして仕上げるものである。
【０００３】
そして、トンネル乾燥機による被洗物の乾燥・仕上げの作業を効率化するために、空気の流れを工夫するための改良が各種案出されている。その一つは、通常、ヒーターで加熱された空気を、衣類搬送路の上部から下方の洗濯物に向かって吹き出しているのであるが、これでは被洗物の上部が速く乾燥して、空気の吹き出し口から遠い被洗物の下部の乾燥が遅くなるという乾燥ムラが生じるという問題があった。そして、この問題を解決するために、被洗物に対して熱風が上下から当たるように、熱風の吹き出し口を衣類搬送路の上と下の両方に設ける構造とし、切換ダンパーにより空気の流れを上部と下部とに切り換えるトンネル乾燥機が案出されている（特許文献１参照）。
【先行技術文献】
【特許文献】
【０００４】
【特許文献１】特開２００１−２２４８９８号公報
【発明の概要】
【発明が解決しようとする課題】
【０００５】
しかしながら、上述したトンネル乾燥機においても、例えば厚手の長い被洗物にあっては、熱風が被洗物全体に均等に当たりづらいことから、依然として乾燥ムラが生じるおそれがあった。また、切換ダンパーで空気の流れを切り換えるためには、切換ダンパーや空気流路を新たに設けて制御しなければならないことから、従来の装置を比較してコストと手間が掛かることとなっている。
【０００６】
本発明は、このような実情に鑑みてなされたものであり、被洗物の乾燥・仕上げを効率良く行うことができる衣類の乾燥仕上げ装置を提供しようとするものである。
【課題を解決するための手段】
【０００７】
上記課題に鑑みて鋭意研究の結果、本発明者は、トンネル内における空気の流れに着目し、従来までの上から下への直線的な空気の流れではなく、空気の流れに渦を起こすことにより、被洗物全体に満遍なく熱風を当てて均等に効率良く乾燥・仕上げをすることができる衣類の乾燥仕上げ装置を案出するに至った。
【０００８】
すなわち、本発明は、衣類搬送路を搬送手段により搬送される被洗物に対してヒーターで加熱された空気を吹き付けて乾燥させる衣類の乾燥仕上げ装置において、衣類搬送路における空気吹き出し部分に、複数の円柱体を間隔を設けて連続して設置して、隣接する前記円柱体の隙間に空気を通すことにより、前記衣類搬送路への空気の流れに渦を生じさせて被洗物に渦流を吹き付けることを特徴とする。
これにより、空気は隣接する円柱体の隙間を通過した後で、カルマン渦などの渦流を生じることとなり、この渦流が被洗物全体にいろいろな方向から吹き付けることにより、被洗物をすばやく均等に乾燥させることができる。また、被洗物に蒸気を含む熱風を吹き付けて仕上げる仕上げ工程において、被洗物に渦流による乱流を吹き付けて振動させることにより、その振動が被洗物の皺を伸ばす作用を発揮することができる。
【０００９】
また本発明の衣類の乾燥仕上げ装置は、円柱体を、被洗物を搬送する搬送手段を挟んで左右対称に設置することを特徴とする。
これにより、空気を被洗物に２方向から吹き付けることができ、被洗物を乾燥させるのに効率的な空気の流れをつくることができる。
【００１０】
また本発明の衣類の乾燥仕上げ装置は、円柱体を、搬送手段が被洗物を搬送する方向の直角位置から左右対称に傾斜して設置することを特徴とする。
これにより、衣類搬送路中を移動する被洗物に対して斜めから空気の渦が吹き付けて被洗物全体に満遍なく空気が当たって均等に効率良く乾燥・仕上げをすることができる。
【００１１】
また本発明の衣類の乾燥仕上げ装置は、円柱体を、被洗物を搬送する搬送手段の水平ラインに対して左右対称に先端を下降させて設置することを特徴とする。
これにより、被洗物に吹き付ける空気を、被洗物の中央に向かうように効率的に吹き付けることができる。
【図面の簡単な説明】
【００１２】
【図１】本発明の衣類の乾燥仕上げ装置の正面図である。
【図２】本発明の衣類の乾燥仕上げ装置の平面図である。
【図３】本発明の衣類の乾燥仕上げ装置の要部平面図である。
【図４】本発明の衣類の乾燥仕上げ装置における空気吹き出し部を示す説明図である。
【図５】本発明の衣類の乾燥仕上げ装置における円柱体と渦流を示す説明図である。
【発明を実施するための形態】
【００１３】
以下、図面を参照しながら、本発明の衣類の乾燥仕上げ装置を実施するための形態を詳細に説明する。図１〜図５は、本発明の実施形態を例示する図である。
【００１４】
図１及び図２は、本発明に係る衣類の乾燥仕上げ装置１を示している。
衣類の乾燥仕上げ装置１は、図示しない連続洗濯機、脱水機からチェーンコンベアにより送られてくるハンガー掛けされた被洗物を、連続して乾燥して仕上げるという連続洗濯設備の一工程を担うものである。
衣類の乾燥仕上げ装置１は、外部に熱風等が漏出しないように被洗物の出入り口を除いて密封されたトンネル状の衣類搬送路２の上部に、被洗物３を連続して搬送するためのチェーンコンベア（もちろんスクリューコンベア等の他種のコンベアでも可）からなる搬送ライン４を配置し、この搬送ライン４に沿って両側に衣類搬送路２に空気を送るための空気吹き出し部５が設けられ、この乾燥用の空気は、衣類搬送路２に隣接して設けられた通風路６から、ファン７（ブロア）や、ヒーター８を通じて送出され、空気を循環させる構造となっている。また、仕上げ工程には、蒸気噴出口などが適宜設置される。
【００１５】
図４及び図５に示すように、搬送ライン４の両側に設けられる空気吹き出し部５は、複数の円柱体９を、間隔を設けて連設する構造であり、僅かな間隔に加熱された空気を勢いよく通じることにより、空気の流れにカルマン渦などの渦の列を、円柱体９の下流に意図的に発生させるものである。この渦の形は、円柱の直径、流体の粘性、流速等により変化するものであり、これらの値により定まるレイノルズ数（Ｒｅ＝Ｕｄ／υ  円柱の直径ｄ、流体の粘性υ、流体の速さＵ）に応じて、レイノルズ数が５０以下の場合には双子渦、６０以上の場合にはカルマン渦、さらに大きくなると複雑に乱れた乱流となる。
なお、本実施形態における円柱体の直径及び隣接する円柱体の間隙の寸法については、被洗物を乾燥・仕上げすることを考慮して適宜設定することとする。
【００１６】
なお、空気吹き出し部５を通る空気の流れの下流にカルマン渦が発生すると、交互に発生するカルマン渦により円柱体９に振動が発生して騒音が生じたり、円柱体９に金属疲労が生じたりするおそれがあることから、レイノルズ数を、カルマン渦が生じる際の値である６０程度よりも大きくなるように設定して、空気の流れに乱流が生じるようにすることが好ましい。
【００１７】
空気吹き出し部５の構造としては、図２及び図３に示すように、被洗物を搬送する搬送ライン４を挟んで左右対称に設置され、空気吹き出し部５を構成する複数の円柱体９は、被洗物の搬送方向の直角位置から左右対称に、進行方向に向かってハ字形状に傾斜して設置される。そして、図１に示すように、空気吹き出し部５は、被洗物を搬送する搬送ライン４の水平ラインに対して左右対称に先端を下降させるハ字形状に傾斜して設置される。
空気吹き出し部５を構成する複数の円柱体９をこのような構造とすることにより、空気を被洗物に全体を包み込むように２方向から吹き付けることができ、被洗物を乾燥させるのに効率的な空気の流れをつくることができる。また、被洗物に対して斜めから空気の渦が吹き付けて被洗物全体に満遍なく空気を当てることにより、被洗物を効率的に乾燥させることができる。
【００１８】
そして、被洗物３に吹き付けられる空気の流れを渦流などの乱流とすることにより、被洗物全体に対して加熱された空気がいろいろな方向から吹き付けられ、すばやく均等に乾燥させることができるとともに、被洗物に蒸気を含む熱風を吹き付けて仕上げる仕上げ工程において、その振動が被洗物の皺を伸ばす作用を好適に発揮することができる。
【００１９】
以上、本発明の衣類の乾燥仕上げ装置について、具体的な実施の形態を示して説明したが、本発明はこれらに限定されるものではない。当業者であれば、本発明の要旨を逸脱しない範囲内において、上記各実施形態における衣類の乾燥仕上げ装置の構成及び機能に様々な変更・改良を加えることが可能である。
【産業上の利用可能性】
【００２０】
本発明の衣類の乾燥仕上げ装置は、連続洗濯設備を製造する産業において利用することができるものである。
【符号の説明】
【００２１】
１  衣類の乾燥仕上げ装置
２  衣類搬送路
３  被洗物
４  搬送ライン
５  空気吹き出し部
６  通風路
７  ファン
８  ヒーター
９  円柱体
【図１】
0005926109.tif 000002
【図２】
0005926109.tif 000003
【図３】
0005926109.tif 000004
【図４】
0005926109.tif 000005
【図５】
0005926109.tif 000006